(57)【要約】【課題】            処理空間やドレン容器からの水の外部への漏れを防止し得る手乾燥装置を得る。【解決手段】        手を出入れできる広さを備えた手挿入部３に高圧空気流発生装置２による作動気流を高速空気流として上部から下方に向って噴出させて手挿入部３内において手に付着した水分を高速空気流の運動エネルギーにより吹飛ばし手を乾燥する手乾燥装置について、その手挿入部３の下部側を形成する水受け部４の前部に排水口９を設け、排水口９の下方には排水口９から滴下する水を貯留するドレン容器１０を設け、水受け部４を前部に接合部６を設定したニつの部品７と部品８で構成する。【選択図】          図１
2006142107.tif 000002
【特許請求の範囲】
【請求項１】
手を出入れできる広さを備えた処理空間に高圧空気流発生装置による作動気流を高速空気流として上部から下方に向って噴出させて前記処理空間内において手に付着した水分を高速空気流の運動エネルギーにより前記処理空間内に吹飛ばし手を乾燥する手乾燥装置であって、前記処理空間を二部品の接合により形成するとともにその背後側に前記高圧空気流発生装置の吸込み側に通じる通風路を構成し、前記処理空間を形成する二部品の接合部を前記通風路から離反する箇所に設定した手乾燥装置。
【請求項２】
請求項１に記載の手乾燥装置であって、水受け部の下方に水受け部の平面積をほぼカバーする大きさのドレン容器を設け、二部品の接合部の外側に沿ってドレンガイドを前記ドレン容器内にまで延出させた手乾燥装置。
【請求項３】
請求項１又は請求項２のいずれかに記載の手乾燥装置であって、二部品の接合部を処理空間の水受け部を形成する底面部の最も低い底面部を含む場所とし、その接合部上に排水口を設けた手乾燥装置。
【請求項４】
請求項１又は請求項３のいずれかに記載の手乾燥装置であって、処理空間の水受け部を構成する底部側の前部に排水口を設け、この排水口の下方に同排水口から滴下する水を貯留するドレン容器を設け、前記排水口の下に前記処理空間に噴出される高速空気流の排水口からの吹込み気流を略水平方向に向ける気流案内部材を設けた手乾燥装置。
【発明の詳細な説明】
【技術分野】
【０００１】
本発明は、洗浄後の濡れた手を衛生的に乾燥させるための手乾燥装置に関するものである。
【背景技術】
【０００２】
洗浄後の濡れた手を乾燥させる装置として、高速空気流により手に付着した水滴を吹飛ばし乾燥させる手乾燥装置がある。例えば、特開平１１―１７８７４２号公報には、図１５に示すように箱体に凹状形態に処理空間としての手挿入部２０が設けられ、手挿入部２０にはエアーノズル２１が配設された手乾燥装置が示されている。エアーノズル２１にはブロアー２２に接続されたエアーダクトが繋がれ、手挿入部２０内に高速空気流を噴出するようになっている。ブロアー２２は手挿入部２０の下方に組込まれているものもあるが、乾燥処理に伴い手挿入部２０に吹飛ばされた水がブロアー２２や電気系統に悪影響を及ぼす可能性があるため、図示のもののようにブロアー２２を手挿入部２０の上方に隣接して設け、手挿入部２０の上部から下方に向って高速空気流を噴出するようにしているものも多い。手の乾燥処理に伴い手挿入部２０に吹飛ばされた水は、手挿入部２０の底部に設けられた排水口から手挿入部２０の下方に備えられたドレン容器２３に滴下し受容される。
【０００３】
【特許文献１】特開平１１―１７８７４２号公報
【発明の開示】
【発明が解決しようとする課題】
【０００４】
上記のような従来の手乾燥装置は、高速空気流の運動エネルギーによって濡れた手を素早く乾燥させることができるものであるが、排水口から吹込む高速空気流がドレン容器２３の水面に衝突し波立たさせるため、ドレン容器２３にある程度水が溜まると波がドレン容器２３の縁を乗り越え外部にこぼれ出すといった問題点がある。また、手挿入部２０は奥行きの深いＪ形状や袋状に形成されているが、これを一体成形物で構成することは金型構造上困難であり、大幅なコスト増になるため、分割構成されているが、接合部から水が漏れ装置内部に浸入したり、清掃のし難い接合部に水垢や汚れが溜まりやすく外観性が損なわれやすいといった問題点もある。特に手挿入部２０の背後にブロアー２２への吸込み側の通風路を配置したものでは、ブロアー２２の吸込力が接合部に作用し、接合部から水が通風路に吸込まれブロアー２２の故障を招き易い。
【０００５】
本発明は、上記した従来の問題点を解決するためになされたもので、その課題とするところは、処理空間やドレン容器からの水の外部への漏れを防止し得る手乾燥装置を得ることであり、水対策の行き届いた使い易い手乾燥装置を得ることである。
【課題を解決するための手段】
【０００６】
前記課題を達成するために請求項１の発明は、手を出入れできる広さを備えた処理空間に高圧空気流発生装置による作動気流を高速空気流として上部から下方に向って噴出させて処理空間内において手に付着した水分を高速空気流の運動エネルギーにより前記処理空間内に吹飛ばし手を乾燥する手乾燥装置について、その処理空間を二部品の接合により形成するとともにその背後側に高圧空気流発生装置の吸込み側に通じる通風路を構成し、処理空間を形成する二部品の接合部を通風路から離反する箇所に設定する手段を採用する。
【発明の効果】
【０００７】
請求項１の発明によれば、水が吸気通路内に吸込まれることがなく、故障し難い手乾燥装置が得られる。
【発明を実施するための最良の形態】
【０００８】
実施の形態１．
図１，２によって示す実施の形態１は手乾燥装置に関するものであり、図１によって全体を示すようにこの手乾燥装置は、正面に手挿入口を有する外殻をなす本体箱体１内に組み込まれた高圧空気流発生装置２による高圧空気が手挿入口近傍に送られて、手挿入口に続く処理空間としての手挿入部３内に水分を吹飛ばす手乾燥に関する作動気流としての高速の気流が形成されるものである。
【０００９】
手挿入部３は本体箱体１の正面上部に、正面及び両側面が開放した手の挿抜可能の開放シンク状の凹部として形成され、下部を形成する水受け部４と奥側とにはその端縁部に曲面構成の立上りによる防壁構造５が設けられ、側方や前方への水の飛散が防止されている。このように手挿入部３の形状は、奥行きの深いＪ形状や袋状になるため一体成形物で構成することは金型構造上困難であり、大幅なコスト増になるため、水受け部４の前部に接合部６を設定した容易に脱着できない二部品７，８で構成されている。水受け部４の底部は前方に向って下傾していて、接合部６は傾斜下端にあり、その接合部６上に排水口９が設けられている。
【００１０】
水受け部４の下方には排水口９から滴下する水を貯留する開放容器構造のドレン容器１０が抜き差し可能に設けられている。ドレン容器１０の開口平面積は水受け部４の底面部の投影平面より少し広く構成されている。このドレン容器１０と排水口９との間には隙間があり、この隙間を利用して手挿入部３に噴出される高速空気流の排水口９からの吹込み気流を略水平方向に向ける気流案内部材１１が設けられている。気流案内部材１１は略Ｌ型に形成され、水受け部４の下面にその一方のフランジ部１２が排水口９の直下において略水平になるように突出している。なお、手挿入部３の内面には、シリコン系もしくはフッ素系等の撥水性コーティング、又は酸化チタン等の親水性を有するコーティング、又は抗菌剤が含浸され、内面への汚れの付着の軽減や細菌の繁殖の低減が図られている。
【００１１】
高圧空気流発生装置２は、ＤＣブラシレスモーター（通常の整流子モーター又は誘導電動機であっても良い）と、これを駆動させる駆動回路及びＤＣブラシレスモーターによって回転するターボファンにより構成され、この実施の形態１では本体箱体１の手挿入部３の直上に、吸気側を背面側にして取付けられている。高圧空気流発生装置２の吸気側は、本体箱体１の背面側に手挿入部３の奥側背面に近接して縦方向に設けられた下端の開放した吸気通路１３に臨んでいて、吸気通路１３の下端から着脱可能のエアーフィルター１４を通じて空気を吸込むことができるようになっている。
【００１２】
高圧空気流発生装置２の吹出口は、円形カップ状のファンケーシングの外周に周方向に間隔を置いて複数個が半径方向に向って開設されている。このファンケーシングの外側はターボファンの回転方向に沿う方向に誘導路を設けた円形カップ状のケーシング１５により覆われ、ケーシング１５の誘導路の端に高圧空気流発生装置２から送られてくる高圧空気を高速の気流に変換し手挿入部３に吹出すエアーノズル１６が接続されている。
【００１３】
エアーノズル１６は、手挿入部３の手挿入口近傍の上部に噴出口を下向きにして取付けられ、手挿入部３内に入れた手に高速の気流を吹付け、手を擦り合わせることなく手に付いた水滴を手の表面から剥離し吹飛ばす。エアーノズル１６から下向きに吹出される高速空気流の一部が排水口９から吹込むこともあるが、吹込んだ高速空気流は気流案内部材１１により進路を阻まれフランジ部１２により略水平方向に案内される。従って、高速空気流がドレン容器１０の水面に直接あたることがなく、水面を波立たさせ波がドレン容器１０の縁を乗り越え外部にこぼれ出すといった不都合は解消される。なお、気流案内部材１１のフランジ部１２の向きについては図１のように後方に向けても図２のように前方に向けても構わないが、前方に向けると排気が使用者側になるため後方に向けた方が使用感がよい。
【００１４】
排水口９は水受け部４の下傾端の二部品７，８の接合部６上にあり、水受け部４に生じる水は円滑に排水される。また、接合部６は使用者と対面する位置になく吸気通路１３から十分離反した位置にあるため、水垢などが溜まっても目立たず外観性を維持できるとともに、接合部６の変形や歪みによって水が漏れたとしてもドレン容器１０に受容されるだけであり、水が吸気通路１３内に吸込まれ高圧空気流発生装置２の故障を招くといったことも回避できる。このようにこの手乾燥装置は水対策の行き届いた使い易いものである。
【００１５】
この手乾燥装置では、手挿入口から手挿入部３内に手を手首付近まで入れると、手を検知するセンサーによって手が検知され、制御回路の処理により高圧空気流発生装置２が作動し、エアーノズル１６から高い運動エネルギーを持つ高速空気流が手挿入部３内に吹出され、挿入された手に当り手に付着した水分を手挿入部３の水受け部へ吹飛ばす。さらに、手挿入部３内で手を挿抜させることによって、手全体に付着していた水滴が全て排除され、手が乾燥処理される。そして手の乾燥処理終了後、手を手挿入部３から完全に抜くと、手を検知するセンサーで手を抜いたことが検知され、高圧空気流発生装置２が停止する。手から吹飛ばされた水滴は前傾構造の水受け部４において排水口９に向かって流下し排水口９からドレン容器１０に収容される。
【００１６】
実施の形態２．
図３〜図１２によって示すこの実施の形態２は、実施の形態１で示した手乾燥装置について、水受け部４の二部品７，８の接合部６の設定に関するものであり、これに係る構成以外は基本的には実施の形態１のものと同じである。従って、実施の形態１と同じ部分については実施の形態１のものと同じ符号を用い、それらについての説明は省略する。
【００１７】
本実施の形態の手乾燥装置は、その手挿入部３が実施の形態１のものと同様に容易に脱着できない二部品７，８で構成されている。二部品７，８の接合部６は、基本的に次の要件を満たす位置に設定されている。水受け部４の最も低い底面部を含む位置であり、吸気通路１３から離反していること。その上で、利用者の目線より下になる位置であればなお良い。そして、この接合部６上に単一又は複数の排水口９が設けられている。
【００１８】
図３（ＡとＢ）は水受け部４の最も低い底面部が前部にある場合の接合部６の位置を示し、図４（ＡとＢ）は水受け部４の最も低い底面部が中央部にある場合の接合部６の位置を示し、図５（ＡとＢ）は水受け部４の最も低い底面部が後部にある場合の接合部６の位置を示し、図６（ＡとＢとＣ）は水受け部４の底面部が左右方向に湾曲しその最も低いところが左右の端部分にある場合の接合部６の位置を示したものである。そして、排水口９は、例えば図３に示すような接合部６に設定した場合には図７〜図１１に示すように単一又は複数の排水口９を接合部６上に設ければよい。ドレン容器１０は図１２に示すように接合部６をカバーできる大きさであるため、接合部６に経年劣化等による隙間ができても水はドレン容器１０に落ち、床等を濡らすことがほとんどない。これ以外の機能は実施の形態１のものと同じである。
【００１９】
実施の形態３．
図１３，１４によって示すこの実施の形態３は、実施の形態２で示した手乾燥装置について、接合部６についての水対策に関するものであり、これに係る構成以外は基本的には実施の形態２のものと同じである。従って、実施の形態２或いは実施の形態１と同じ部分についてはそれらのものと同じ符号を用い、それらのものについての説明は省略する。
【００２０】
本実施の形態の手乾燥装置は、水受け部４の排水口９の下方には排水口９から滴下する水を貯留するドレン容器１０を設け、排水口９近傍には水の飛沫をドレン容器１０内に案内するドレンガイド１７が設けられている。ドレンガイド１７は水受け部４の下面から接合部６の外側に沿って垂下状にドレン容器１０内に達する長さで突出している。このドレンガイド１７により接合部６に経年劣化等による隙間ができて、気流の吹込みとともに接合部６から水が漏れても、ドレンガイド１７が気流に乗って水の飛沫が外部に到達することを防止し、ドレン容器１０に導き込むため床等を濡らすことがほとんどない。これ以外の機能は実施の形態２のものと同じである。
【図面の簡単な説明】
【００２１】
【図１】実施の形態１の手乾燥装置を示す断面構成図である。
【図２】実施の形態１の手乾燥装置の他の気流案内部材を示す部分断面図である。
【図３】Ａは実施の形態２の手乾燥装置の手挿入部の略体側面図、ＢはそのＡ―Ａ線での断面図である。
【図４】Ａは実施の形態２の手乾燥装置の他の手挿入部の略体側面図、ＢはそのＡ―Ａ線での断面図である。
【図５】Ａは実施の形態２の手乾燥装置の他の手挿入部の略体側面図、ＢはそのＡ―Ａ線での断面図である。
【図６】Ａは実施の形態２の手乾燥装置の他の手挿入部の略体側面図、ＢはそのＡ―Ａ線での断面図、ＣはそのＣ―Ｃ線での断面図である。
【図７】実施の形態２の手乾燥装置の水受け部の接合部と排水口を示す平面図である。
【図８】実施の形態２の手乾燥装置の水受け部の接合部と排水口を示す平面図である。
【図９】実施の形態２の手乾燥装置の水受け部の接合部と排水口を示す平面図である。
【図１０】実施の形態２の手乾燥装置の水受け部の接合部と排水口を示す平面図である。
【図１１】実施の形態２の手乾燥装置の水受け部の接合部と排水口を示す平面図である。
【図１２】実施の形態２の手乾燥装置の水受け部とドレン容器の関係を示す縦断正面図である。
【図１３】実施の形態３の手乾燥装置の水受け部とドレン容器の関係を示す縦断側面図である。
【図１４】実施の形態３の手乾燥装置の水受け部とドレン容器の関係を示す縦断正面図である。
【図１５】従来の手乾燥装置を示す縦断側面図である。
【符号の説明】
【００２２】
２  高圧空気流発生装置、  ３  手挿入部、  ４  水受け部、  ６  接合部、  ７，８  二部品、  ９  排水口、  １０  ドレン容器、  １１  気流案内部材、  １３  吸気通路、  １７  ドレンガイド。
【図１】
2006142107.tif 000003
【図２】
2006142107.tif 000004
【図３】
2006142107.tif 000005
【図４】
2006142107.tif 000006
【図５】
2006142107.tif 000007
【図６】
2006142107.tif 000008
【図７】
2006142107.tif 000009
【図８】
2006142107.tif 000010
【図９】
2006142107.tif 000011
【図１０】
2006142107.tif 000012
【図１１】
2006142107.tif 000013
【図１２】
2006142107.tif 000014
【図１３】
2006142107.tif 000015
【図１４】
2006142107.tif 000016
【図１５】
2006142107.tif 000017